(57)【要約】      （修正有）【課題】電波環境により適したチャンネルを選択することができる無線ＬＡＮ通信装置、チャンネル選択方法及びチャンネル選択プログラムを提供する。【解決手段】無線ＬＡＮ通信システムにおいて、無線ＬＡＮ通信装置１００は、他の無線ＬＡＮ通信装置と通信を行う通信部１０１と、通信部１０１によって他の無線ＬＡＮ通信装置と通信を行う際に利用可能なチャンネルについての第１の情報と、他の無線ＬＡＮ通信装置が第１の情報に規定されたチャンネルを用いて通信を行う際における電波環境についての第２の情報と、に基づいて、他の無線ＬＡＮ通信装置との通信に用いるチャンネルを選択する制御部１０７と、を備える。【選択図】図１
2019068471.tif 000002
【特許請求の範囲】
【請求項１】
他の無線ＬＡＮ通信装置と通信を行う通信部と、
前記通信部によって前記他の無線ＬＡＮ通信装置と通信を行う際に利用可能なチャンネルについての第１の情報と、前記他の無線ＬＡＮ通信装置が前記第１の情報に規定されたチャンネルを用いて通信を行う際における電波環境についての第２の情報と、に基づいて、前記他の無線ＬＡＮ通信装置との通信に用いるチャンネルを選択する制御部と、
を備える無線ＬＡＮ通信装置。
【請求項２】
前記制御部は、
前記第１の情報を前記他の無線ＬＡＮ通信装置に通知した後において、前記他の無線ＬＡＮ通信装置から取得した前記第２の情報に基づいて、前記他の無線ＬＡＮ通信装置との通信に用いるチャンネルを選択する、請求項１に記載の無線ＬＡＮ通信装置。
【請求項３】
前記制御部は、前記通信部が前記第１の情報に規定されたチャンネルを用いて通信を行う際における電波環境についての第３の情報をさらに参照して、前記他の無線ＬＡＮ通信装置との通信に用いるチャンネルを選択する、請求項１又は２に記載の無線ＬＡＮ通信装置。
【請求項４】
前記制御部は、前記チャンネルの周波数帯域に応じて、前記第２の情報に基づいて前記他の無線ＬＡＮ通信装置との通信に用いるチャンネルを選択するか否かを決定する、請求項１乃至３の何れか一項に記載の無線ＬＡＮ通信装置。
【請求項５】
無線ＬＡＮ通信装置の通信部が、他の無線ＬＡＮ通信装置と通信を行い、
前記無線ＬＡＮ通信装置の制御部が、前記通信部が前記他の無線ＬＡＮ通信装置と通信を行う際に利用可能なチャンネルについての第１の情報と、前記他の無線ＬＡＮ通信装置が前記第１の情報に規定されたチャンネルを用いて通信を行う際における電波環境についての第２の情報と、に基づいて、前記他の無線ＬＡＮ通信装置との通信に用いるチャンネルを選択する、チャンネル選択方法。
【請求項６】
前記制御部が、前記第１の情報を前記他の無線ＬＡＮ通信装置に通知した後において、前記他の無線ＬＡＮ通信装置から取得した前記第２の情報に基づいて、前記他の無線ＬＡＮ通信装置との通信に用いるチャンネルを選択する、請求項５に記載のチャンネル選択方法。
【請求項７】
前記制御部が、前記チャンネルの周波数帯域に応じて、前記第２の情報に基づいて前記他の無線ＬＡＮ通信装置との通信に用いるチャンネルを選択するか否かを決定する、請求項５又は６に記載のチャンネル選択方法。
【請求項８】
無線ＬＡＮ通信装置の制御部に、通信部が他の無線ＬＡＮ通信装置と通信を行う際に利用可能なチャンネルについての第１の情報と、前記他の無線ＬＡＮ通信装置が前記第１の情報に規定されたチャンネルを用いて通信を行う際における電波環境についての第２の情報と、に基づいて、前記他の無線ＬＡＮ通信装置との通信に用いるチャンネルを選択する処理を実行させるための、チャンネル選択プログラム。
【請求項９】
前記制御部に、前記第１の情報を前記他の無線ＬＡＮ通信装置に通知した後において、前記他の無線ＬＡＮ通信装置から取得した前記第２の情報に基づいて、前記他の無線ＬＡＮ通信装置との通信に用いるチャンネルを選択する処理を実行させるための、請求項８に記載のチャンネル選択プログラム。
【請求項１０】
前記制御部に、前記チャンネルの周波数帯域に応じて、前記第２の情報に基づいて前記他の無線ＬＡＮ通信装置との通信に用いるチャンネルを選択するか否かを決定する処理を実行させるための、請求項８又は９に記載のチャンネル選択プログラム。
【発明の詳細な説明】
【技術分野】
【０００１】
本発明は、無線ＬＡＮ通信装置、チャンネル選択方法、及び、チャンネル選択プログラムに関する。
【背景技術】
【０００２】
無線通信において、ある無線システムが使用しているチャンネルで他システムが同時に通信を行っている場合、それぞれのシステムが当該チャンネル内に放出する電波は、双方の通信システムにおいては雑音に他ならない。雑音は受信した信号の品質劣化につながり、通信速度に悪影響を及ぼす。
【０００３】
そのため、無線ＬＡＮアクセスポイント（以下、単に、「アクセスポイント」と称する。）は、その環境で通信を行う上で最も雑音の少ないチャンネルを用いて動作することが望ましい。例えば、特許文献１には、一のアクセスポイントが、他のアクセスポイントが使用している使用中チャンネルを検出し、当該使用中チャンネルにおける他のアクセスポイントの無線電波の受信信号強度を検出し、当該使用中チャンネルの受信信号強度に応じて、当該一のアクセスポイントが使用するチャンネルを選択することが記載されている。
【先行技術文献】
【特許文献】
【０００４】
【特許文献１】特開２０１２−１７５５４５号公報
【発明の概要】
【発明が解決しようとする課題】
【０００５】
ところで、近年のインターネット等の通信は、サーバクライアント方式と呼ばれる通信方式でサービスされることが多い。サーバクライアント方式の通信においては、サーバからクライアントに対してデータを多く送る傾向にある。そのため、サーバクライアント方式の通信においては、一般的に、通信トラフィックは、上位から下位に流れる通信（ダウンリンク通信，Ｄｏｗｎｌｉｎｋ）で占められている。また、下位から上位に流れる通信(アップリンク通信，Ｕｐｌｉｎｋ)では、データの要求やダウンリンク通信で送られてきたデータへの返答（ＡＣＫ）程度にしか使用しない。そのため、通信トラフィックの多くを占めるダウンリンク通信の通信環境を最適化することが望ましい。
【０００６】
特許文献１では、アクセスポイントの電波受信機能を用いてその場の電波環境を確認してチャンネルを選択している。しかし、アクセスポイントが選択したチャンネルが、実際にその電波を受信する無線ＬＡＮ子機が存在する環境にとって適しているとは限らない。例えば、アクセスポイントが測定した雑音の雑音源の近くに通信相手の無線ＬＡＮ子機が位置している場合、アクセスポイントが選択したチャンネルは、無線ＬＡＮ子機にとっては雑音の大きいチャンネルとなってしまう可能性がある。
【０００７】
さらに、上述したように、近年のサーバクライアント方式の通信においては、通信トラフィックの多くを占めるダウンリンク通信の通信環境を最適化することが望ましい。換言すれば、アクセスポイントの電波環境のみならず、無線ＬＡＮ子機の電波環境にとっても適したチャンネルをアクセスポイントの動作チャンネルとして選択することが求められている。
【０００８】
本発明の目的は、電波環境により適したチャンネルを選択することができる無線ＬＡＮ通信装置、チャンネル選択方法、及び、チャンネル選択プログラムを提供することである。
【課題を解決するための手段】
【０００９】
本発明にかかる無線ＬＡＮ通信装置は、他の無線ＬＡＮ通信装置と通信を行う通信部と、前記通信部によって前記他の無線ＬＡＮ通信装置と通信を行う際に利用可能なチャンネルについての第１の情報と、前記他の無線ＬＡＮ通信装置が前記第１の情報に規定されたチャンネルを用いて通信を行う際における電波環境についての第２の情報と、に基づいて、前記他の無線ＬＡＮ通信装置との通信に用いるチャンネルを選択する制御部と、を備える。
【発明の効果】
【００１０】
電波環境により適したチャンネルを選択することができる無線ＬＡＮ通信装置、チャンネル選択方法、及び、チャンネル選択プログラムを提供することができる。
【図面の簡単な説明】
【００１１】
【図１】実施の形態１にかかるアクセスポイントを示すブロック図である。
【図２】実施の形態１にかかる無線ＬＡＮ通信システムを示すブロック図である。
【図３】実施の形態１にかかる無線ＬＡＮ通信システムが置かれる周辺環境の例を示す図である。
【図４】実施の形態１にかかる無線ＬＡＮ通信システムにおけるチャンネル選択方法を示すフローチャートである。
【図５】実施の形態１にかかるチャンネル選択方法における子機対応チャンネル取得処理を示すフローチャートである。
【図６】実施の形態１にかかるチャンネル選択方法における探索チャンネル決定処理を示すフローチャートである。
【図７】実施の形態１にかかるチャンネル選択方法における探索チャンネル共有処理を示すフローチャートである。
【図８】実施の形態１にかかるチャンネル選択方法における子機探索結果取得処理を示すフローチャートである。
【図９】実施の形態１にかかるアクセスポイントによる電波探索結果を示す表である。
【図１０】実施の形態１にかかる無線ＬＡＮ子機による電波探索結果を示す表である。
【図１１】実施の形態１にかかるチャンネル選択方法における使用チャンネル選択処理を示すフローチャートである。
【図１２】実施の形態１にかかるアクセスポイントによる電波探索結果から算出された信号雑音比、通信路劣化量、アクセスポイント数を示す表である。
【図１３】実施の形態１にかかる無線ＬＡＮ子機による電波探索結果から算出された信号雑音比、通信路劣化量、アクセスポイント数を示す表である。
【発明を実施するための形態】
【００１２】
実施の形態１
以下、図面を参照して本発明の実施の形態について説明する。図１は、本発明の実施の形態１にかかる無線ＬＡＮ通信装置としてのアクセスポイント（ＡＰ：Ａｃｃｅｓｓ  Ｐｏｉｎｔ）１００を示すブロック図である。図１に示すように、本発明の実施の形態１にかかるアクセスポイント１００は、通信部としての無線ＬＡＮアクセスポイント部１０１、制御部としての通信制御装置１０７等を備える。
【００１３】
そして、無線ＬＡＮアクセスポイント部１０１は、子機としての無線ＬＡＮ子機（ＳＴＡ：Ｓｔａｔｉｏｎ）２００と通信を行う。また、通信制御装置１０７は、ＳｃａｎＬｉｓｔ（後述）とＲｅｓｕｌｔＴａｂｌｅ＿ＳＴＡ１０７Ｂ（後述）とに基づいて、無線ＬＡＮ子機２００との通信に用いるチャンネルを選択する。ここで、ＳｃａｎＬｉｓｔは、無線ＬＡＮアクセスポイント部１０１によって無線ＬＡＮ子機２００と通信を行う際に利用可能なチャンネルについての第１の情報である。また、ＲｅｓｕｌｔＴａｂｌｅ＿ＳＴＡ１０７Ｂは、無線ＬＡＮ子機２００がＳｃａｎＬｉｓｔに規定されたチャンネルを用いて通信を行う際における電波環境についての第２の情報である。
【００１４】
実施の形態１にかかる無線ＬＡＮ通信システム１について、図２を参照しながら、より詳細に説明する。図２は、実施の形態１にかかる無線ＬＡＮ通信システム１を示すブロック図である。図２に示すように、無線ＬＡＮ通信システム１は、無線ＬＡＮ通信装置としてのアクセスポイント１００と、子機としての無線ＬＡＮ子機２００とを備える。アクセスポイント１００と無線ＬＡＮ子機２００とは、例えば、ＩＥＥＥ８０２．１１によって規定される無線通信規格に基づいて、無線通信を行う。
【００１５】
アクセスポイント１００は、図２に示すように、通信部としての無線ＬＡＮアクセスポイント部１０１、通信用アンテナ１０２、探索用アンテナ１０５、無線通信インターフェース１０６、制御部としての通信制御装置１０７等を備える。
【００１６】
無線ＬＡＮアクセスポイント部１０１は、図２に示すように、無線ＬＡＮインターフェース１０３、無線ＬＡＮ親機処理装置１０４を備える。そして、無線ＬＡＮアクセスポイント部１０１は、無線ＬＡＮ子機２００と無線通信を行う。
【００１７】
無線ＬＡＮインターフェース１０３は、ＩＥＥＥ８０２．１１によって規定される無線通信規格に基づいて通信データの変調・復調を行う。そして、無線ＬＡＮインターフェース１０３は、通信用アンテナ１０２を介して、無線ＬＡＮ子機２００等の他のＩＥＥＥ８０２．１１に準拠している装置と電波の送受信を行う。
【００１８】
無線ＬＡＮ親機処理装置１０４は、図示しないＣＰＵ及び図示しない記憶部を備える。そして、ＣＰＵが記憶部に格納されているプログラムを実行することにより、無線ＬＡＮ親機処理装置１０４における処理が実現する。
また、無線ＬＡＮ親機処理装置１０４の記憶部に格納されるプログラムは、ＣＰＵに実行されることにより、無線ＬＡＮ親機処理装置１０４の処理を実現するためのコードを含む。なお、記憶部は、例えば、このプログラムや、無線ＬＡＮ親機処理装置１０４における処理に利用される各種情報を格納することができる任意の記憶装置を含んで構成される。記憶装置は、例えば、メモリ等である。
【００１９】
具体的には、ＣＰＵが記憶部に格納されているプログラムを実行することによって、無線ＬＡＮ親機処理装置１０４は、無線ＬＡＮインターフェース１０３等の無線ＬＡＮアクセスポイント部１０１の各部を制御する。より具体的には、ＣＰＵが記憶部に格納されているプログラムを実行することによって、無線ＬＡＮ親機処理装置１０４は、アクセスポイント１００がＩＥＥＥ８０２．１１によって規定されるアクセスポイントとして動作するための一連の機能を無線ＬＡＮアクセスポイント部１０１に実行させる。すなわち、無線ＬＡＮ親機処理装置１０４による全ての各種制御処理は、ＣＰＵと記憶部に格納されているプログラムとが協働した具体化手段によって実現される。
【００２０】
無線通信インターフェース１０６は、探索用アンテナ１０５を介して、無線ＬＡＮ子機２００と無線通信を行う。これにより、無線ＬＡＮアクセスポイント部１０１による、アクセスポイント１００と無線ＬＡＮ子機２００との間の通常の無線ＬＡＮ通信が切断されている場合であっても、アクセスポイント１００は、無線通信インターフェース１０６による無線通信を介して、無線ＬＡＮ子機２００と制御信号等の送受信を行うことができる。
【００２１】
通信制御装置１０７は、図示しないＣＰＵ及び図示しない記憶部を備える。そして、ＣＰＵが記憶部に格納されているプログラムを実行することにより、通信制御装置１０７における処理が実現する。
また、通信制御装置１０７の記憶部に格納されるプログラムは、ＣＰＵに実行されることにより、通信制御装置１０７の処理を実現するためのコードを含む。なお、記憶部は、例えば、このプログラムや、通信制御装置１０７における処理に利用される各種情報を格納することができる任意の記憶装置を含んで構成される。記憶装置は、例えば、メモリ等である。
【００２２】
具体的には、ＣＰＵが記憶部に格納されているプログラムを実行することによって、通信制御装置１０７は、無線通信インターフェース１０６を制御する。より具体的には、ＣＰＵが記憶部に格納されているプログラムを実行することによって、通信制御装置１０７は、無線通信インターフェース１０６が無線ＬＡＮ子機２００と無線通信を行うのに必要なパラメータの参照、設定、変更を行ったり、無線通信インターフェース１０６の動作を開始させたり停止させたりする。すなわち、通信制御装置１０７による全ての各種制御処理は、ＣＰＵと記憶部に格納されているプログラムとが協働した具体化手段によって実現される。
【００２３】
無線ＬＡＮ子機２００は、図２に示すように、無線ＬＡＮ子機部２０１、通信用アンテナ２０２、探索用アンテナ２０５、無線通信インターフェース２０６、通信制御装置２０７等を備える。
【００２４】
無線ＬＡＮ子機部２０１は、図２に示すように、無線ＬＡＮインターフェース２０３、無線ＬＡＮ子機処理装置２０４を備える。そして、無線ＬＡＮ子機部２０１は、アクセスポイント１００と無線通信を行う。
【００２５】
無線ＬＡＮインターフェース２０３は、ＩＥＥＥ８０２．１１によって規定される無線通信規格に基づいて通信データの変調・復調を行う。そして、無線ＬＡＮインターフェース２０３は、通信用アンテナ２０２を介して、アクセスポイント１００等の他のＩＥＥＥ８０２．１１に準拠している装置と電波の送受信を行う。
【００２６】
無線ＬＡＮ子機処理装置２０４は、図示しないＣＰＵ及び図示しない記憶部を備える。そして、ＣＰＵが記憶部に格納されているプログラムを実行することにより、無線ＬＡＮ子機処理装置２０４における処理が実現する。
また、無線ＬＡＮ子機処理装置２０４の記憶部に格納されるプログラムは、ＣＰＵに実行されることにより、無線ＬＡＮ子機処理装置２０４の処理を実現するためのコードを含む。なお、記憶部は、例えば、このプログラムや、無線ＬＡＮ子機処理装置２０４における処理に利用される各種情報を格納することができる任意の記憶装置を含んで構成される。記憶装置は、例えば、メモリ等である。
【００２７】
具体的には、ＣＰＵが記憶部に格納されているプログラムを実行することによって、無線ＬＡＮ子機処理装置２０４は、無線ＬＡＮインターフェース２０３等の無線ＬＡＮ子機部２０１の各部を制御する。より具体的には、ＣＰＵが記憶部に格納されているプログラムを実行することによって、無線ＬＡＮ子機処理装置２０４は、無線ＬＡＮ子機２００がＩＥＥＥ８０２．１１によって規定される無線ＬＡＮ子機として動作するための一連の機能を無線ＬＡＮ子機部２０１に実行させる。すなわち、無線ＬＡＮ子機処理装置２０４による全ての各種制御処理は、ＣＰＵと記憶部に格納されているプログラムとが協働した具体化手段によって実現される。
【００２８】
無線通信インターフェース２０６は、探索用アンテナ２０５を介して、アクセスポイント１００と無線通信を行う。これにより、無線ＬＡＮ子機部２０１による、アクセスポイント１００と無線ＬＡＮ子機２００との間の通常の無線ＬＡＮ通信が切断されている場合であっても、無線ＬＡＮ子機２００は、無線通信インターフェース２０６による無線通信を介して、アクセスポイント１００と制御信号の送受信を行うことができる。
【００２９】
通信制御装置２０７は、図示しないＣＰＵ及び図示しない記憶部を備える。そして、ＣＰＵが記憶部に格納されているプログラムを実行することにより、通信制御装置２０７における処理が実現する。
また、通信制御装置２０７の記憶部に格納されるプログラムは、ＣＰＵに実行されることにより、通信制御装置２０７の処理を実現するためのコードを含む。なお、記憶部は、例えば、このプログラムや、通信制御装置２０７における処理に利用される各種情報を格納することができる任意の記憶装置を含んで構成される。記憶装置は、例えば、メモリ等である。
【００３０】
具体的には、ＣＰＵが記憶部に格納されているプログラムを実行することによって、通信制御装置２０７は、無線通信インターフェース２０６を制御する。より具体的には、ＣＰＵが記憶部に格納されているプログラムを実行することによって、通信制御装置２０７は、無線通信インターフェース２０６がアクセスポイント１００と無線通信を行うのに必要なパラメータの参照、設定、変更を行ったり、無線通信インターフェース２０６の動作を開始させたり停止させたりする。すなわち、通信制御装置２０７による全ての各種制御処理は、ＣＰＵと記憶部に格納されているプログラムとが協働した具体化手段によって実現される。
【００３１】
次に、図３、図４を参照して、実施の形態１にかかる無線ＬＡＮ通信システム１におけるチャンネル選択方法を説明する。図３は、無線ＬＡＮ通信システム１が置かれる周辺環境の例を示す図である。図４は、無線ＬＡＮ通信システム１におけるチャンネル選択方法を示すフローチャートである。
【００３２】
図３において、本実施の形態１にかかるアクセスポイント１００は、アクセスポイントＡＰ１である。また、本実施の形態１にかかる無線ＬＡＮ子機２００は、無線ＬＡＮ子機ＳＴＡ２である。ここで、既に動作中のアクセスポイントＡＰ２，ＡＰ３，ＡＰ４，ＡＰ５，ＡＰ６，ＡＰ７が存在する場所にアクセスポイント１００であるアクセスポイントＡＰ１を設置する場合を例に挙げて説明する。
【００３３】
また、無線ＬＡＮ子機ＳＴＡ１はＡＰ５の接続可能範囲内にあり、既にアクセスポイントＡＰ５に帰属して通信を行っている。一方、無線ＬＡＮ子機２００である無線ＬＡＮ子機ＳＴＡ２は、新たに設置するアクセスポイントＡＰ１に帰属する予定である。しかし、無線ＬＡＮ子機ＳＴＡ２は、アクセスポイントＡＰ１よりもアクセスポイントＡＰ５の近くに位置している。
【００３４】
また、説明を簡略化させるため、図３に示す例において、ＡＰ１〜ＡＰ７、ＳＴＡ１〜ＳＴＡ２が使用可能なチャンネルはチャンネル１〜４の４つのみとする。また、チャンネル１〜４の周波数帯域は、互いに重複していないこととする。
【００３５】
このような場合、例えば、アクセスポイントＡＰ１と無線ＬＡＮ子機ＳＴＡ２とが無線ＬＡＮ通信で使用するチャンネルと、アクセスポイントＡＰ５と無線ＬＡＮ子機ＳＴＡ１とが無線ＬＡＮ通信で使用するチャンネルとが同じとなった場合、無線ＬＡＮ子機ＳＴＡ２とアクセスポイントＡＰ５とが近い位置にあるため、無線ＬＡＮ子機ＳＴＡ２がアクセスポイントＡＰ１から送信される電波を受信する際に、アクセスポイントＡＰ５と無線ＬＡＮ子機ＳＴＡ１との間で通信される電波を雑音として受信してしまう可能性がある。そのため、アクセスポイントＡＰ１と無線ＬＡＮ子機ＳＴＡ２との間の通信品質が十分ではない場合がある。一方、無線ＬＡＮ子機ＳＴＡ２がアクセスポイントＡＰ１に対して送出する電波が、アクセスポイントＡＰ５と無線ＬＡＮ子機ＳＴＡ１との間の通信品質に影響を及ぼす可能性がある。
【００３６】
しかし、本実施の形態１にかかる無線ＬＡＮ通信システム１におけるチャンネル選択方法によれば、このような場合であっても、電波環境により適したチャンネルを選択することができる。以下、当該チャンネル選択方法について詳細に説明する。なお、アクセスポイント１００の通信制御装置１０７及び無線ＬＡＮ子機２００の通信制御装置２０７が、当該通信制御装置１０７内の記憶部（不図示）及び当該通信制御装置２０７内の記憶部（不図示）に格納されているチャンネル選択プログラムを実行することにより、通信制御装置１０７及び通信制御装置２０７が、本実施の形態１にかかるチャンネル選択方法を実行する。
【００３７】
上述したように、アクセスポイント１００であるアクセスポイントＡＰ１と、無線ＬＡＮ子機２００である無線ＬＡＮ子機ＳＴＡ２とは、無線ＬＡＮインターフェース１０３と無線ＬＡＮインターフェース２０３との間の無線ＬＡＮ通信が切断されている状態であっても、無線通信インターフェース１０６及び無線通信インターフェース２０６を介して、無線通信可能となっている。そのため、アクセスポイントＡＰ１は、当該無線通信を介して、無線ＬＡＮ子機ＳＴＡ２と、通信制御装置２０７が使用、制御、保存する情報を共有することができる。また、無線ＬＡＮ子機ＳＴＡ２は、当該無線通信を介して、アクセスポイントＡＰ１と、通信制御装置１０７が使用、制御、保存する情報を共有することができる。なお、無線通信インターフェース１０６及び無線通信インターフェース２０６はいかなる通信規格を用いてもよい。
【００３８】
まず、図４に示すように、アクセスポイントＡＰ１の通信制御装置１０７が無線通信インターフェース１０６を制御することにより、無線通信インターフェース１０６は電波探索処理実施確認を無線ＬＡＮ子機ＳＴＡ２に送信する。次いで、無線ＬＡＮ子機ＳＴＡ２の通信制御装置２０７が電波探索実施可能である場合に、通信制御装置２０７が無線通信インターフェース２０６を制御することによって、無線通信インターフェース２０６は肯定応答（ＡＣＫ）をアクセスポイントＡＰ１に送信する。次いで、アクセスポイントＡＰ１の通信制御装置１０７が無線通信インターフェース１０６を制御することにより、無線通信インターフェース１０６は肯定応答（ＡＣＫ）を無線ＬＡＮ子機ＳＴＡ２に送信する。
【００３９】
次に、アクセスポイントＡＰ１の通信制御装置１０７及び無線ＬＡＮ子機ＳＴＡ２の通信制御装置２０７は、子機対応チャンネル取得処理を実行する（ステップＳ１）。当該子機対応チャンネル取得処理の詳細については、後述する。
【００４０】
次に、アクセスポイントＡＰ１の通信制御装置１０７は、探索チャンネル決定処理を実行する（ステップＳ２）。当該探索チャンネル決定処理の詳細については、後述する。
【００４１】
次に、アクセスポイントＡＰ１の通信制御装置１０７及び無線ＬＡＮ子機ＳＴＡ２の通信制御装置２０７は、探索チャンネル共有処理を実行する（ステップＳ３）。当該探索チャンネル共有処理の詳細については、後述する。
【００４２】
次に、アクセスポイントＡＰ１の通信制御装置１０７は、親機側電波探索処理を実行する（ステップＳ４）。また、無線ＬＡＮ子機ＳＴＡ２の通信制御装置２０７は、子機側電波探索処理を実行する（ステップＳ５）。なお、ステップＳ４及びステップＳ５における電波探索処理において、通信制御装置１０７、２０７は、ステップＳ３の探索チャンネル共有処理においてアクセスポイントＡＰ１と無線ＬＡＮ子機ＳＴＡ２とが共有したＳｃａｎＬｉｓｔに示されたチャンネルについて電波探索を行う。また、本実施の形態１では、通信制御装置１０７、２０７は、それぞれ、無線ＬＡＮインターフェース１０３、２０３を用いて、電波探索を行う。なお、電波探索の方法は、アクセスポイントの識別子、当該アクセスポイントの動作チャンネル、当該アクセスポイントの受信電界強度が得られる方法であれば、いかなる電波探索の方法であってもよい。アクセスポイントＡＰ１の通信制御装置１０７は、電波探索処理によって得られた探索結果をＲｅｓｕｌｔＴａｂｌｅ＿ＡＰ（第３の情報）１０７Ａとして通信制御装置１０７内の記憶部（不図示）に保存する。同様に、無線ＬＡＮ子機ＳＴＡ２の通信制御装置２０７は、電波探索処理によって得られた探索結果をＲｅｓｕｌｔＴａｂｌｅとして通信制御装置２０７内の記憶部（不図示）に保存する。
【００４３】
次に、アクセスポイントＡＰ１の通信制御装置１０７は、無線通信インターフェース１０６を制御して、子機側電波探索処理が完了したか否かの質問を無線ＬＡＮ子機ＳＴＡ２に送信する。無線ＬＡＮ子機ＳＴＡ２の通信制御装置２０７は、子機側電波探索処理が終了していない場合、無線通信インターフェース２０６を制御して、否定応答（ＮＡＫ）をアクセスポイントＡＰ１に送信する。また、無線ＬＡＮ子機ＳＴＡ２の通信制御装置２０７は、子機側電波探索処理が終了している場合、無線通信インターフェース２０６を制御して、ＡＣＫをアクセスポイントＡＰ１に送信する。
【００４４】
次に、アクセスポイントＡＰ１の通信制御装置１０７及び無線ＬＡＮ子機ＳＴＡ２の通信制御装置２０７は、子機探索結果取得処理を実行する（ステップＳ６）。当該子機探索結果取得処理の詳細については、後述する。
【００４５】
次に、アクセスポイントＡＰ１の通信制御装置１０７は、使用チャンネル選択処理を実行する（ステップＳ７）。当該使用チャンネル選択処理の詳細については、後述する。次に、アクセスポイントＡＰ１の通信制御装置１０７は、無線通信インターフェース１０６を制御して、電波探索終了通知を無線ＬＡＮ子機ＳＴＡ２に送信する。次に、無線ＬＡＮ子機ＳＴＡ２の通信制御装置２０７は、無線通信インターフェース２０６を制御して、ＡＣＫをアクセスポイントＡＰ１に送信してチャンネル選択処理の終了待ち状態となる。次に、アクセスポイントＡＰ１の通信制御装置１０７は、無線通信インターフェース１０６を制御して、ＡＣＫを無線ＬＡＮ子機ＳＴＡ２に送信してチャンネル選択処理を終了する。そして、無線ＬＡＮ子機ＳＴＡ２の通信制御装置２０７は、２回目のＡＣＫを受信すると、チャンネル選択処理を終了する。
【００４６】
次に、アクセスポイントＡＰ１の通信制御装置１０７は、ステップＳ７において決定したチャンネルを無線ＬＡＮ親機処理装置１０４に出力し、無線ＬＡＮ親機処理装置１０４は無線ＬＡＮインターフェース１０３を制御して、当該チャンネルを使用して無線ＬＡＮ子機ＳＴＡ２の無線ＬＡＮインターフェース２０３と無線ＬＡＮ通信を開始する（ステップＳ８）。
【００４７】
なお、本実施の形態１において、図４の破線で囲んだ範囲の処理は、アクセスポイントＡＰ１の無線通信インターフェース１０６と、無線ＬＡＮ子機ＳＴＡ２の無線通信インターフェース２０６による無線通信を用いて行われる。
【００４８】
次に、図５を参照して、図４のステップＳ１の子機対応チャンネル取得処理の詳細について説明する。
まず、図４において、アクセスポイントＡＰ１の通信制御装置１０７が無線通信インターフェース１０６を制御して電波探索処理実施確認を無線ＬＡＮ子機ＳＴＡ２に送信した時点で、アクセスポイントＡＰ１の通信制御装置１０７は、無線ＬＡＮアクセスポイント部１０１の無線ＬＡＮインターフェース１０３を制御して、アクセスポイントＡＰ１が使用可能なチャンネルのリストを探索し、当該チャンネルのリストをＣｈａｎｎｅｌＬｉｓｔ＿ＡＰとして通信制御装置１０７内の記憶部（不図示）に保存する（ステップＳ１０１）。
【００４９】
一方、図４において、無線ＬＡＮ子機ＳＴＡ２がアクセスポイントＡＰ１から電波探索処理実施確認を受信して、無線ＡＮ子機ＳＴＡ２の通信制御装置２０７が無線通信インターフェース２０６を制御してＡＣＫをアクセスポイントＡＰ１に送信した時点で、無線ＬＡＮ子機ＳＴＡ２の通信制御装置２０７は、無線ＬＡＮ子機部２０１の無線ＬＡＮインターフェース２０３を制御して、無線ＬＡＮ子機ＳＴＡ２が使用可能なチャンネルのリストを探索し（ステップＳ１０２）、当該チャンネルのリストをＣｈａｎｎｅｌＬｉｓｔとして通信制御装置２０７内の記憶部（不図示）に保存する（ステップＳ１０３）。次いで、無線ＬＡＮ子機ＳＴＡ２の通信制御装置２０７は、無線通信インターフェース２０６を制御して、チャンネル情報要求の受信待ち状態となる（ステップＳ１０４）。
【００５０】
次に、アクセスポイントＡＰ１の通信制御装置１０７は、無線通信インターフェース１０６を制御して、無線ＬＡＮ子機ＳＴＡ２が使用可能なチャンネル情報を要求するチャンネル情報要求を無線ＬＡＮ子機ＳＴＡ２に送信する（ステップＳ１０５）。次いで、アクセスポイントＡＰ１の通信制御装置１０７は、無線通信インターフェース１０６を制御して、チャンネル情報の受信待ち状態となる（ステップＳ１０６）。
【００５１】
次に、無線ＬＡＮ子機ＳＴＡ２の通信制御装置２０７は、チャンネル情報要求を受信したか否かを判断する（ステップＳ１０７）。
ステップＳ１０７において、無線ＬＡＮ子機ＳＴＡ２がチャンネル情報要求を受信していない場合（ステップＳ１０７；Ｎｏ）、通信制御装置２０７は、ステップＳ１０４に戻る。
ステップＳ１０７において、無線ＬＡＮ子機ＳＴＡ２がチャンネル情報要求を受信した場合（ステップＳ１０７；Ｙｅｓ）、通信制御装置２０７は、無線通信インターフェース２０６を制御して、ステップＳ１０３において保存したＣｈａｎｎｅｌＬｉｓｔをアクセスポイントＡＰ１に送信する（ステップＳ１０８）。次いで、無線ＬＡＮ子機ＳＴＡ２の通信制御装置２０７は、無線通信インターフェース２０６を制御して、ＡＣＫの受信待ち状態となる（ステップＳ１０９）。
【００５２】
次に、アクセスポイントＡＰ１の通信制御装置１０７は、チャンネル情報を受信したか否かを判断する（ステップＳ１１０）。
ステップＳ１１０において、アクセスポイントＡＰ１がチャンネル情報を受信していない場合（ステップＳ１１０；Ｎｏ）、通信制御装置１０７は、ステップＳ１０６に戻る。
ステップＳ１１０において、アクセスポイントＡＰ１がチャンネル情報を受信した場合（ステップＳ１１０；Ｙｅｓ）、通信制御装置１０７は、当該チャンネル情報をＣｈａｎｎｅｌＬｉｓｔ＿ＳＴＡとして通信制御装置１０７内の記憶部に保存する（ステップＳ１１１）。
【００５３】
次に、アクセスポイントＡＰ１の通信制御装置１０７は、無線通信インターフェース１０６を制御して、ＡＣＫを無線ＬＡＮ子機ＳＴＡ２に送信し（ステップＳ１１２）、本処理を終了する。
【００５４】
次に、無線ＬＡＮ子機ＳＴＡ２の通信制御装置２０７は、ＡＣＫを受信したか否かを判断する（ステップＳ１１３）。
ステップＳ１１３において、無線ＬＡＮ子機ＳＴＡ２がＡＣＫを受信していない場合（ステップＳ１１３；Ｎｏ）、通信制御装置２０７は、ステップＳ１０９に戻る。
ステップＳ１１３において、無線ＬＡＮ子機ＳＴＡ２がＡＣＫを受信した場合（ステップＳ１１３；Ｙｅｓ）、通信制御装置２０７は、本処理を終了する。
【００５５】
次に、図６を参照して、図４のステップＳ２の探索チャンネル決定処理の詳細について説明する。
まず、アクセスポイントＡＰ１の通信制御装置１０７は、アクセスポイントＡＰ１が使用可能なチャンネルのリストであるＣｈａｎｎｎｅｌＬｉｓｔ＿ＡＰと無線ＬＡＮ子機ＳＴＡ２が使用可能なチャンネルのリストであるＣｈａｎｎｎｅｌＬｉｓｔ＿ＳＴＡ２とを比較し、探索チャンネルリストを生成する（ステップＳ２０１）。
具体的には、通信制御装置１０７は、図４のステップＳ１０１において通信制御装置１０７内の記憶部（不図示）に保存されたＣｈａｎｎｅｌＬｉｓｔ＿ＡＰと図４のステップＳ１１１において通信制御装置１０７内の記憶部（不図示）に保存されたＣｈａｎｎｅｌＬｉｓｔ＿ＳＴＡ２とを比較し、ＣｈａｎｎｅｌＬｉｓｔ＿ＡＰとＣｈａｎｎｅｌＬｉｓｔ＿ＳＴＡ２とに共通にリストされているチャンネルを抽出し、抽出したチャンネルのリストを探索チャンネルリストＳｃａｎＬｉｓｔとする。
【００５６】
次に、通信制御装置１０７は、生成した探索チャンネルリストＳｃａｎＬｉｓｔを通信制御装置１０７内の記憶部（不図示）に保存する（ステップＳ２０２）。
【００５７】
次に、図７を参照して、図４のステップＳ３の探索チャンネル共有処理の詳細について説明する。
まず、無線ＬＡＮ子機ＳＴＡ２を探索リスト待ちにするため、アクセスポイントＡＰ１の通信制御装置１０７は、無線通信インターフェース１０６を制御して、探索リスト受信要求を無線ＬＡＮ子機ＳＴＡ２に送信する（ステップＳ３０１）。次いで、アクセスポイントＡＰ１の通信制御装置１０７は、無線通信インターフェース１０６を制御して、ＡＣＫの受信待ち状態となる（ステップＳ３０２）。
【００５８】
一方、図４のステップＳ２の探索チャンネル決定処理が終了した後、無線ＬＡＮ子機ＳＴＡ２は探索リスト受信要求待ち状態となっている（ステップＳ３０３）。次に、無線ＬＡＮ子機ＳＴＡ２の通信制御装置２０７は、無線ＬＡＮ子機ＳＴＡ２が探索リスト受信要求を受信したか否かを判断する（ステップＳ３０４）。
ステップＳ３０４において、無線ＬＡＮ子機ＳＴＡ２が探索リスト受信要求を受信していない場合（ステップＳ３０４；Ｎｏ）、通信制御装置２０７は、ステップＳ３０３に戻る。
ステップＳ３０４において、無線ＬＡＮ子機ＳＴＡ２が探索リスト受信要求を受信した場合（ステップＳ３０４；Ｙｅｓ）、通信制御装置２０７は、無線通信インターフェース２０６を制御して、ＡＣＫをアクセスポイントＡＰ１に送信する（ステップＳ３０５）。次いで、通信制御装置２０７は、無線通信インターフェース２０６を制御して、探索リストの受信待ち状態となる（ステップＳ３０６）。
【００５９】
次に、アクセスポイントＡＰ１の通信制御装置１０７は、アクセスポイントＡＰ１がＡＣＫを受信したか否かを判断する（ステップＳ３０７）。
ステップＳ３０７において、アクセスポイントＡＰ１がＡＣＫを受信していない場合（ステップＳ３０７；Ｎｏ）、通信制御装置１０７は、ステップＳ３０２に戻る。
ステップＳ３０７において、アクセスポイントＡＰ１がＡＣＫを受信した場合（ステップＳ３０７；Ｙｅｓ）、通信制御装置１０７は、無線通信インターフェース１０６を制御して、探索リストＳｃａｎＬｉｓｔを無線ＬＡＮ子機ＳＴＡ２に送信する（ステップＳ３０８）。次いで、通信制御装置１０７は、無線通信インターフェース１０６を制御して、ＡＣＫの受信待ち状態となる（ステップＳ３０９）。
【００６０】
次に、無線ＬＡＮ子機ＳＴＡ２の通信制御装置２０７は、無線ＬＡＮ子機ＳＴＡ２が探索リストを受信したか否かを判断する（ステップＳ３１０）。
ステップＳ３１０において、無線ＬＡＮ子機ＳＴＡ２が探索リストを受信していない場合（ステップＳ３１０；Ｎｏ）、通信制御装置２０７は、ステップＳ３０６に戻る。
ステップＳ３１０において、無線ＬＡＮ子機ＳＴＡ２が探索リストを受信した場合（ステップＳ３１０；Ｙｅｓ）、通信制御装置２０７は、当該探索リストをＳｃａｎＬｉｓｔとして通信制御装置２０７内の記憶部（不図示）に保存する（ステップＳ３１１）。
【００６１】
次に、通信制御装置２０７は、無線通信インターフェース２０６を制御して、ＡＣＫをアクセスポイントＡＰ１に送信し（ステップＳ３１２）、ＡＣＫの受信待ち状態となる（ステップＳ３１３）。
【００６２】
次に、アクセスポイントＡＰ１の通信制御装置１０７は、アクセスポイントＡＰ１がＡＣＫを受信したか否かを判断する（ステップＳ３１４）。
ステップＳ３１４において、アクセスポイントＡＰ１がＡＣＫを受信していない場合（ステップＳ３１４；Ｎｏ）、通信制御装置１０７は、ステップＳ３０９に戻る。
ステップＳ３１４において、アクセスポイントＡＰ１がＡＣＫを受信した場合（ステップＳ３１４；Ｙｅｓ）、通信制御装置１０７は、本処理が正常に実施されたと認識し、無線通信インターフェース１０６を制御して、ＡＣＫを無線ＬＡＮ子機ＳＴＡ２に送信し（ステップＳ３１５）、本処理を終了する。
【００６３】
次に、無線ＬＡＮ子機ＳＴＡ２の通信制御装置２０７は、無線ＬＡＮ子機ＳＴＡ２がＡＣＫを受信したか否かを判断する（ステップＳ３１６）。
ステップＳ３１６において、無線ＬＡＮ子機ＳＴＡ２がＡＣＫを受信していない場合（ステップＳ３１６；Ｎｏ）、通信制御装置２０７は、ステップＳ３１３に戻る。
ステップＳ３１６において、無線ＬＡＮ子機ＳＴＡ２がＡＣＫを受信した場合（ステップＳ３１６；Ｙｅｓ）、通信制御装置１０７は、本処理が正常に実施されたと認識し、本処理を終了する。
【００６４】
次に、図８を参照して、図４のステップＳ６の子機探索結果取得処理の詳細について説明する。
まず、アクセスポイントＡＰ１の通信制御装置１０７は、無線通信インターフェース１０６を制御して、探索結果送信要求を無線ＬＡＮ子機ＳＴＡ２に送信する（ステップＳ４０１）。次いで、アクセスポイントＡＰ１の通信制御装置１０７は、無線通信インターフェース１０６を制御して、探索結果の受信待ち状態となる（ステップＳ４０２）。
【００６５】
一方、図４のステップＳ５の電波探索処理によって得られた探索結果をＲｅｓｕｌｔＴａｂｌｅとして通信制御装置２０７内の記憶部（不図示）に保存した後、無線ＬＡＮ子機ＳＴＡ２は探索結果送信要求待ち状態となっている（ステップＳ４０３）。次に、無線ＬＡＮ子機ＳＴＡ２の通信制御装置２０７は、無線ＬＡＮ子機ＳＴＡ２が探索結果送信要求を受信したか否かを判断する（ステップＳ４０４）。
ステップＳ４０４において、無線ＬＡＮ子機ＳＴＡ２が探索結果送信要求を受信していない場合（ステップＳ４０４；Ｎｏ）、通信制御装置２０７は、ステップＳ４０３に戻る。
ステップＳ４０４において、無線ＬＡＮ子機ＳＴＡ２が探索結果送信要求を受信した場合（ステップＳ４０４；Ｙｅｓ）、通信制御装置２０７は、無線通信インターフェース２０６を制御して、探索結果ＲｅｓｕｌｔＴａｂｌｅをアクセスポイントＡＰ１に送信する（ステップＳ４０５）。次いで、通信制御装置２０７は、無線通信インターフェース２０６を制御して、ＡＣＫの受信待ち状態となる（ステップＳ４０６）。
【００６６】
次に、アクセスポイントＡＰ１の通信制御装置１０７は、アクセスポイントＡＰ１が探索結果を受信したか否かを判断する（ステップＳ４０７）。
ステップＳ４０７において、アクセスポイントＡＰ１が探索結果を受信していない場合（ステップＳ４０７；Ｎｏ）、通信制御装置１０７は、ステップＳ４０２に戻る。
ステップＳ４０７において、アクセスポイントＡＰ１がＡＣＫを受信した場合（ステップＳ４０７；Ｙｅｓ）、通信制御装置１０７は、受信した探索結果をＲｅｓｕｌｔＴａｂｌｅ＿ＳＴＡ１０７Ｂとして通信制御装置１０７内の記憶部（不図示）に保存する（ステップＳ４０８）。
【００６７】
次に、通信制御装置１０７は、無線通信インターフェース１０６を制御して、ＡＣＫを無線ＬＡＮ子機ＳＴＡ２に送信し（ステップＳ４０９）、本処理を終了する。
【００６８】
次に、無線ＬＡＮ子機ＳＴＡ２の通信制御装置２０７は、無線ＬＡＮ子機ＳＴＡ２がＡＣＫを受信したか否かを判断する（ステップＳ４１０）。
ステップＳ４１０において、無線ＬＡＮ子機ＳＴＡ２がＡＣＫを受信していない場合（ステップＳ４１０；Ｎｏ）、通信制御装置２０７は、ステップＳ４０６に戻る。
ステップＳ４１０において、無線ＬＡＮ子機ＳＴＡ２がＡＣＫを受信した場合（ステップＳ４１０；Ｙｅｓ）、通信制御装置２０７は、本処理が正常に実施されたと認識し、本処理を終了する。
【００６９】
次に、図９を参照して、図４のステップＳ４において通信制御装置１０７の記憶部（不図示）に保存されたＲｅｓｕｌｔＴａｂｌｅ＿ＡＰ１０７Ａについて説明する。図９に示すように、ＲｅｓｕｌｔＴａｂｌｅ＿ＡＰ１０７Ａは、アクセスポイントＡＰ１が使用可能なチャンネルを使用している他のアクセスポイントＡＰ２〜ＡＰ７の識別子（ＳＳＩＤ：Ｓｅｒｖｉｃｅ  Ｓｅｔ  Ｉｄｅｎｔｉｆｉｅｒ）と、当該他のアクセスポイントＡＰ２〜ＡＰ７の動作チャンネルと、当該他のアクセスポイントの受信電界強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）とが対応付けられたデータである。換言すれば、ＲｅｓｕｌｔＴａｂｌｅ＿ＡＰ１０７Ａは、アクセスポイントＡＰ１が存在する位置における電波環境を示している。
【００７０】
また、図１０を参照して、図８のステップＳ４０８において通信制御装置１０７の記憶部（不図示）に保存されたＲｅｓｕｌｔＴａｂｌｅ＿ＳＴＡ１０７Ｂについて説明する。図１０に示すように、ＲｅｓｕｌｔＴａｂｌｅ＿ＳＴＡ１０７Ｂは、無線ＬＡＮ子機ＳＴＡ２が使用可能なチャンネルを使用しているアクセスポイントＡＰ２〜ＡＰ７の識別子（ＳＳＩＤ：Ｓｅｒｖｉｃｅ  Ｓｅｔ  Ｉｄｅｎｔｉｆｉｅｒ）と、当該アクセスポイントＡＰ２〜ＡＰ７の動作チャンネルと、当該アクセスポイントの受信電界強度（ＲＳＳＩ：Ｒｅｃｅｉｖｅｄ  Ｓｉｇｎａｌ  Ｓｔｒｅｎｇｔｈ  Ｉｎｄｉｃａｔｉｏｎ）とが対応付けられたデータである。換言すれば、ＲｅｓｕｌｔＴａｂｌｅ＿ＳＴＡ１０７Ｂは、無線ＬＡＮ子機ＳＴＡ２が存在する位置における電波環境を示している。
【００７１】
次に、図１１を参照して、図４のステップＳ７の使用チャンネル選択処理について説明する。
まず、アクセスポイントＡＰ１の通信制御装置１０７は、ＲｅＳｕｌｔＴａｂｌｅ＿ＡＰ１０７Ａ及びＲｅｓｕｌｔＴａｂｌｅ＿ＳＴＡ１０７Ｂに示された各アクセスポイントの受信電界強度（ＲＳＳＩ）に基づいて、当該各アクセスポイントが受信する信号の雑音比（Ｄｉｆｆ［ｄＢ］）及び当該各アクセスポイントの信号の通信路劣化量を推定する（ステップＳ５０１）。
【００７２】
具体的には、通信制御装置１０７は、ＲｅｓｕｌｔＴａｂｌｅ＿ＡＰ１０７Ａに示された各アクセスポイントの受信電界強度（ＲＳＳＩ）から、当該各アクセスポイントの受信電界強度Ｒｅｃｖ＿ｌｉｍｉｔを減算することによって、当該各アクセスポイントが受信する信号の雑音比（Ｄｉｆｆ［ｄＢ］）を推定する。ここで、各アクセスポイントの受信電界強度Ｒｅｃｖ＿ｌｉｍｉｔとは、当該各アクセスポイントが受信する信号が劣化していない状態で、当該各アクセスポイントが当該信号を受信することができる最小の受信電界強度の値である。本実施の形態１では、各アクセスポイントの受信電界強度Ｒｅｃｖ＿ｌｉｍｉｔを−１００ｄＢｍとした。
また、同様に、通信制御装置１０７は、ＲｅｓｕｌｔＴａｂｌｅ＿ＳＴＡ１０７Ｂに示された各アクセスポイントの受信電界強度（ＲＳＳＩ）から、当該各アクセスポイントの受信電界強度Ｒｅｃｖ＿ｌｉｍｉｔを減算することによって、当該各アクセスポイントが受信する信号の雑音比（Ｄｉｆｆ［ｄＢ］）を推定する。
【００７３】
また、１つのチャンネルで通信できる通信路容量の最大値は、理論的に、通信時の信号雑音比に１を加算して得られた値の２を底とする対数に、通信周波数帯域幅を乗算した値であることが一般的に広く知られている。ここで、信号雑音比が１よりも十分大きい場合、信号雑音が１ｄＢ増減した場合の通信路容量は、（ｌｏｇ２（１０））/１０＝０．３３に、通信周波数帯域幅を乗算した値に線形比例する。そして、本実施の形態１において、電波探索は全て同じ通信周波数帯域幅に対して行われている。そのため、各アクセスポイントの信号の通信路劣化量は、０．３３に、推定された各アクセスポイントの雑音比（Ｄｉｆｆ［ｄＢ］）を乗算した値を用いて、比較することができる。そこで、通信制御装置１０７は、推定した各アクセスポイントの雑音比（Ｄｉｆｆ［ｄＢ］）に０．３３を乗算した値を通信路劣化量として推定する。
【００７４】
図１２の左側に、アクセスポイントＡＰ１が使用可能なチャンネルを使用する他のアクセスポイントＡＰ２〜ＡＰ７の識別子（ＳＳＩＤ：Ｓｅｒｖｉｃｅ  Ｓｅｔ  Ｉｄｅｎｔｉｆｉｅｒ）と、当該アクセスポイントＡＰ２〜ＡＰ７の動作チャンネルと、図１１のステップＳ５０１において通信制御装置１０７が推定した雑音比（Ｄｉｆｆ［ｄＢ］）と、通信路劣化量と、を対応付けたテーブル１０７Ｃを示す。換言すれば、テーブル１０７Ｃは、アクセスポイントＡＰ１が存在する位置における電波環境における他のアクセスポイントＡＰ２〜ＡＰ７の雑音比（Ｄｉｆｆ［ｄＢ］）及び通信路劣化量を示している。なお、当該テーブル１０７Ｃは、通信制御装置１０７内の記憶部（不図示）に保存されてもよい。
【００７５】
図１３の左側に、無線ＬＡＮ子機ＳＴＡ２が使用可能なチャンネルを使用する他のアクセスポイントＡＰ２〜ＡＰ７の識別子（ＳＳＩＤ：Ｓｅｒｖｉｃｅ  Ｓｅｔ  Ｉｄｅｎｔｉｆｉｅｒ）と、当該アクセスポイントＡＰ２〜ＡＰ７の動作チャンネルと、図１１のステップＳ５０１において通信制御装置１０７が推定した雑音比（Ｄｉｆｆ［ｄＢ］）と、通信路劣化量と、を対応付けたテーブル１０７Ｄを示す。換言すれば、テーブル１０７Ｄは、無線ＬＡＮ子機ＳＴＡ２が存在する位置における電波環境における他のアクセスポイントＡＰ２〜ＡＰ７の雑音比（Ｄｉｆｆ［ｄＢ］）及び通信路劣化量を示している。なお、当該テーブル１０７Ｄは、通信制御装置１０７内の記憶部（不図示）に保存されてもよい。
【００７６】
次に、通信制御装置１０７は、各チャンネルを使用するアクセスポイントの数（ＡＰ数）を算出するとともに、ステップＳ５０１において推定した通信路劣化量から各チャンネルの通信路劣化量の合計（合計劣化量）を算出する（ステップＳ５０２）。
【００７７】
図１２の右側に、アクセスポイントＡＰ１が使用可能なチャンネルと、当該チャンネルを使用するアクセスポイントの数（ＡＰ数）と、当該各チャンネルの通信路劣化量の合計（合計劣化量）と、を対応付けたテーブル１０７Ｅを示す。換言すれば、テーブル１０７Ｅは、アクセスポイントＡＰ１が使用可能なチャンネルの通信品質を示している。なお、当該テーブル１０７Ｅは、通信制御装置１０７内の記憶部（不図示）に保存されてもよい。
【００７８】
また、図１３の右側に、無線ＬＡＮ子機ＳＴＡ２が使用可能なチャンネルと、当該チャンネルを使用するアクセスポイントの数（ＡＰ数）と、当該各チャンネルの通信路劣化量の合計（合計劣化量）と、を対応付けたテーブル１０７Ｆを示す。換言すれば、テーブル１０７Ｆは、無線ＬＡＮ子機ＳＴＡ２が使用可能なチャンネルの通信品質を示している。なお、当該テーブル１０７Ｆは、通信制御装置１０７内の記憶部（不図示）に保存されてもよい。
【００７９】
次に、通信制御装置１０７は、テーブル１０７Ｅ及びテーブル１０７Ｆに基づいて、アクセスポイントＡＰ１が使用するチャンネル（動作チャンネル）を決定し、当該チャンネルをＵｓｅＣｈａｎｎｅｌとして通信制御装置１０７内の記憶部（不図示）に保存して（ステップＳ５０３）、本処理を終了する。具体的には、通信制御装置１０７は、チャンネルを使用するアクセスポイント数（ＡＰ数）が少ないチャンネル、及び、合計劣化量が小さいチャンネルを選択し、アクセスポイントＡＰ１の動作チャンネルとして決定する。
【００８０】
無線ＬＡＮ通信においては、送受信されるデータを多重化する。つまり、無線ＬＡＮ通信は、時間分割多重されたデータを送受信する通信である。また、無線ＬＡＮ通信においては、通信時の衝突回避にＣＳＭＡ／ＣＡ方式を使用している。そのため、同じチャンネル内の別システムが電波を送出すると、当該チャンネルを使用している無線ＬＡＮシステムの全てがビジーとなってしまい、ある程度のウェイトを余儀なくされ、また衝突確立も増加してしまう。そのため、通信容量の劣化は、チャンネル内のアクセスポイントの数にも大きく影響される。よって、通信制御装置１０７は、チャンネル内のアクセスポイントの数が少ないチャンネルを優先的に選択する。
【００８１】
図１２を参照すると、アクセスポイントＡＰ１が存在する位置における電波環境における各チャンネルの合計劣化量及びＡＰ数に基づく各チャンネルの通信品質は、品質が高い順にチャンネル３＞チャンネル４＞チャンネル１＞チャンネル２である。よって、アクセスポイントＡＰ１にとっては、チャンネル３を動作チャンネルとして使用した場合に、通信品質が最も高くなる。
【００８２】
一方、図１３を参照すると、無線ＬＡＮ子機ＳＴＡ２が存在する位置における電波環境における各チャンネルの合計劣化量及びＡＰ数に基づく各チャンネルの通信品質は、品質が高い順にチャンネル２＝チャンネル４＞チャンネル１＞チャンネル３である。よって、アクセスポイントＡＰ１にとっては、チャンネル２又はチャンネル４を動作チャンネルとして使用した場合に、通信品質が最も高くなる。
【００８３】
ここで、無線ＬＡＮ通信がサーバクライアント方式の通信である場合、通信トラフィックの多くを占めるダウンリンク通信の通信環境を最適化することが望ましい。そのため、本実施の形態１では、通信制御装置１０７は、アクセスポイントＡＰ１の電波環境より、無線ＬＡＮ子機ＳＴＡ２の電波環境を優先して、アクセスポイントＡＰ１の動作チャンネルを選択する。換言すれば、通信制御装置１０７は、アクセスポイントＡＰ１の通信品質より、無線ＬＡＮ子機ＳＴＡ２の通信品質を優先して、アクセスポイントＡＰ１の動作チャンネルを選択する。
【００８４】
図１２、図１３に示す例では、通信制御装置１０７は、無線ＬＡＮ子機ＳＴＡ２の通信品質を優先すると、動作チャンネルとして、チャンネル２又はチャンネル４を選択する。一方、アクセスポイントＡＰ１の通信品質においては、チャンネル２よりもチャンネル４の方が、合計劣化量が少なく、チャンネル内のアクセスポイント数も少ない。よって、通信制御装置１０７は、チャンネル４をアクセスポイントＡＰ１の動作チャンネルとして決定する。
【００８５】
以上に説明した実施の形態１にかかるアクセスポイント１００、チャンネル選択方法、及び、チャンネル選択プログラムでは、無線ＬＡＮ子機２００と通信を行う無線ＬＡＮアクセスポイント部１０１によって無線ＬＡＮ子機２００と通信を行う際に利用可能なチャンネルについてのＳｃａｎＬｉｓｔと、無線ＬＡＮ子機２００が当該ＳｃａｎＬｉｓｔに規定されたチャンネルを用いて通信を行う際における電波環境についてのＲｅｓｕｌｔＴａｂｌｅ＿ＳＴＡ１０７Ｂと、に基づいて、無線ＬＡＮ子機２００との通信に用いるチャンネルを選択する。そのため、無線ＬＡＮ子機２００の電波環境にとって適したチャンネルをアクセスポイント１００の動作チャンネルとして選択することができる。これにより、電波環境により適したチャンネルを選択することができるアクセスポイント１００、チャンネル選択方法、及び、チャンネル選択プログラムを提供することができる。
【００８６】
また、通信トラフィックの多くを占めるダウンリンク通信の通信環境に最適なチャンネルをアクセスポイント１００の動作チャンネルとして選択することができる。そのため、アクセスポイント１００と無線ＬＡＮ子機２００との通信のスループットを向上させることができる。
【００８７】
また、通信制御装置１０７は、ＳｃａｎＬｉｓｔを無線ＬＡＮ子機２００に通知した後において、無線ＬＡＮ子機２００から取得したＲｅｓｕｌｔＴａｂｌｅ＿ＳＴＡ１０７Ｂに基づいて、無線ＬＡＮ子機２００との通信に用いるチャンネルを選択する。無線ＬＡＮ子機２００は、ＳｃａｎＬｉｓｔに挙げられたチャンネルに対して電波探索を行って、ＲｅｓｕｌｔＴａｂｌｅ＿ＳＴＡを生成する。そのため、無線ＬＡＮ子機２００は、アクセスポイント１００と無線ＬＡＮ子機２００との間で使用できないチャンネルに対して無駄に電波探索を行わずに済む。
【００８８】
また、通信制御装置１０７は、無線ＬＡＮアクセスポイント部１０１がＳｃａｎＬｉｎｋに規定されたチャンネルを用いて通信を行う際における電波環境についてのＲｅｓｕｌｔＴａｂｌｅ＿ＡＰ１０７Ａをさらに参照して、無線ＬＡＮ子機２００との通信に用いるチャンネルを選択する。そのため、アクセスポイント１００は、無線ＬＡＮ子機２００の電波環境だけでなくアクセスポイント１００の電波環境にも適したチャンネルをアクセスポイント１００の動作チャンネルとして選択することができる。これにより、電波環境にさらに適したチャンネルを選択することができるアクセスポイント１００、チャンネル選択方法、及び、チャンネル選択プログラムを提供することができる。
【００８９】
なお、本発明は上記実施の形態に限られたものではなく、趣旨を逸脱しない範囲で適宜変更することが可能である。例えば、通信制御装置１０７は、チャンネルの周波数帯域に応じて、ＲｅｓｕｌｔＴａｂｌｅ＿ＳＴＡ１０７Ｂに基づいて無線ＬＡＮ子機２００との通信に用いるチャンネルを選択するか否かを決定してもよい。具体的には、例えば、チャンネルの周波数帯域が５ＧＨｚ帯である場合のように、各チャンネルの周波数帯域が２０ＭＨｚ単位で離れており１つのチャンネルには１つの通信電波の電力しか流入しない場合には、通信制御装置１０７はＲｅｓｕｌｔＴａｂｌｅ＿ＳＴＡ１０７Ｂを参照しないで無線ＬＡＮ子機２００との通信に用いるチャンネルを選択してもよい。一方、チャンネルの周波数帯域が２．４ＧＨｚ帯である場合のように、一のチャンネルの周波数帯域と隣のチャンネルと周波数帯域が重なっていて、隣のチャンネルを使用する通信の電力が希望のチャンネルの電力として重なってしまう場合には、通信制御装置１０７は、ＲｅｓｕｌｔＴａｂｌｅ＿ＳＴＡ１０７Ｂに基づいて無線ＬＡＮ子機２００との通信に用いるチャンネルを選択してもよい。
【００９０】
また、本実施の形態１では、一のアクセスポイント（ＡＰ）と無線ＬＡＮ子機（ＳＴＡ）との間で、双方が対応するチャンネルについてのチャンネル情報（ＳｃａｎＬｉｓｔ）に基づいて電波探索を行って、当該探索結果（ＲｅｓｕｌｔＴａｂｌｅ）に基づいて、当該一のＡＰが当該子機（ＳＴＡ）との通信で用いるチャンネル（ｕｓｅＣｈａｎｎｅｌ）を選択するというチャンネル選択方法について説明したが、無線ＬＡＮ通信装置としての一のアクセスポイント（ＡＰ）は、当該無線ＬＡＮ子機（ＳＴＡ）以外のＨＧＷや他のアクセスポイント（ＡＰ）との間において当該チャンネル選択方法を実施してもよい。
【００９１】
また、本実施の形態１では、アクセスポイント１００が無線通信インターフェース１０６を備え、無線ＬＡＮ子機２００が無線通信インターフェース２０６を備えることとしたが、アクセスポイント１００の無線ＬＡＮインターフェース１０３と無線ＬＡＮ子機２００の無線ＬＡＮインターフェース２０３とが無線ＬＡＮ通信可能であり、且つ、当該無線ＬＡＮ通信を介してアクセスポイント１００が無線ＬＡＮ子機２００の電波環境についてのＲｅｓｕｌｔＴａｂｌｅ＿ＳＴＡを取得可能である場合には、アクセスポイント１００は無線通信インターフェース１０６を備えていなくてもよく、無線ＬＡＮ子機２００は無線通信インターフェース２０６を備えていなくてもよい。
【００９２】
また、本実施の形態１では、通信制御装置１０７、２０７は、それぞれ、無線ＬＡＮインターフェース１０３、２０３を用いて、電波探索を行うため、無線ＬＡＮインターフェース１０３、２０３が無線ＬＡＮに接続されていない状態で、当該電波探索を行う例について説明したが、無線通信インターフェース１０６、２０６が、無線ＬＡＮインターフェース１０３、２０３と同等の電波探索性能を有する場合には、無線ＬＡＮインターフェース１０３、２０３が無線ＬＡＮに接続されている状態で、通信制御装置１０７、２０７が、それぞれ、無線通信インターフェース１０６、２０６を用いて、電波探索を行ってもよい。
【００９３】
また、無線通信インターフェース２０６が、無線ＬＡＮインターフェース２０３と同等の電波探索性能を有する場合には、通信制御装置２０７が無線通信インターフェース２０６を用いて電波探索を行って得られた探索結果ＲｅｓｕｌｔＴａｂｌｅ＿ＳＴＡを、無線ＬＡＮインターフェース１０３、２０３を介して、アクセスポイント１００に送信してもよい。この場合には、本発明では、アクセスポイント１００の電波環境を把握することは必須ではないため、無線通信インターフェース１０６を省略することができる。
【００９４】
無線通信インターフェース１０６、２０６が、無線ＬＡＮインターフェース１０３、２０３と同等の電波探索性能を有する例としては、無線通信インターフェース１０６、２０６がＩＥＥＥ８０２．１５で規定されたＢｌｕｅｔｏｏｔｈ（登録商標）通信を使用する場合が挙げられる。Ｂｌｕｅｔｏｏｔｈ（登録商標）通信では、２．４ＧＨｚ帯の周波数と同等の周波数帯域に通信チャンネルが設定されており、且つ、Ｂｌｕｅｔｏｏｔｈ（登録商標）通信が使用する通信チャンネルは、無線ＬＡＮが使用する通信チャンネルよりも細かく多くのチャンネルが規定されており、Ｂｌｕｅｔｏｏｔｈ（登録商標）通信は、それら周波数を短時間で切り替えながら通信を行う周波数ホッピング方式を採用している。換言すれば、Ｂｌｕｅｔｏｏｔｈ（登録商標）通信は、常に干渉の少ないチャンネルを選んでホッピングを行うため、それらホッピングによるチャンネル選択頻度の情報から、無線ＬＡＮ通信として雑音の少ないチャンネルを推定すいていすることができる。
【００９５】
また、本実施の形態１では、アクセスポイント１００と無線ＬＡＮ子機２００との両方で同時に電波探索を行い、且つ、両方の電波探索の探索結果を用いてアクセスポイント１００の動作チャンネルの選択を行う例について説明した。しかし、本発明は、無線ＬＡＮ子機２００の電波環境についての情報をアクセスポイント１００の動作チャンネルの選択に反映することを特徴とするものである。そのため、アクセスポイント１００の電波環境を把握することは必須ではない。
【００９６】
また、無線ＬＡＮ子機２００の無線ＬＡＮインターフェース２０３は、無線ＬＡＮと切断された状態では、常に、動作可能チャンネルの範囲を探索しているのが一般的である。そのため、電波探索処理を行う前に既に電波環境についての探索結果ＲｅｓｕｌｔＴａｂｌｅ＿ＳＴＡを把握している可能性がある。よって、無線ＬＡＮ子機２００が既に電波環境の探索結果ＲｅｓｕｌｔＴａｂｌｅ＿ＳＴＡを取得している場合は、図４のステップＳ５の電波探索処理において改めて電波探索を行う必要はない。
【００９７】
また、本実施の形態１では、１台のアクセスポイント１００に対して１台の無線ＬＡＮ子機２００が接続する場合について説明したが、本発明はこれに限定されるものではない。アクセスポイント１００が、無線通信インターフェース１０６を用いて、複数の無線ＬＡＮ子機２００と通信してもよい。また、アクセスポイント１００とそれぞれの無線ＬＡＮ子機２００との間の通信品質の優先度等を予め設定してもよく、取得した無線ＬＡＮ子機２００の電波探索結果ＲｅｓｕｌｔＴａｂｌｅ＿ＳＴＡに対して当該優先度に基づいて重み付けを行い、アクセスポイント１００の動作チャンネルを決定してもよい。
「付記１」
他の無線ＬＡＮ通信装置と通信を行う通信部と、
前記通信部によって前記他の無線ＬＡＮ通信装置と通信を行う際に利用可能なチャンネルについての第１の情報と、前記他の無線ＬＡＮ通信装置が前記第１の情報に規定されたチャンネルを用いて通信を行う際における電波環境についての第２の情報と、に基づいて、前記他の無線ＬＡＮ通信装置との通信に用いるチャンネルを選択する制御部と、
を備える無線ＬＡＮ通信装置。
「付記２」
前記制御部は、
前記第１の情報を前記他の無線ＬＡＮ通信装置に通知した後において、前記他の無線ＬＡＮ通信装置から取得した前記第２の情報に基づいて、前記他の無線ＬＡＮ通信装置との通信に用いるチャンネルを選択する、付記１に記載の無線ＬＡＮ通信装置。
「付記３」
前記制御部は、前記通信部が前記第１の情報に規定されたチャンネルを用いて通信を行う際における電波環境についての第３の情報をさらに参照して、前記他の無線ＬＡＮ通信装置との通信に用いるチャンネルを選択する、付記１又は２に記載の無線ＬＡＮ通信装置。
「付記４」
前記制御部は、前記チャンネルの周波数帯域に応じて、前記第２の情報に基づいて前記他の無線ＬＡＮ通信装置との通信に用いるチャンネルを選択するか否かを決定する、付記１乃至３の何れか一項に記載の無線ＬＡＮ通信装置。
「付記５」
無線ＬＡＮ通信装置の通信部が、他の無線ＬＡＮ通信装置と通信を行い、
前記無線ＬＡＮ通信装置の制御部が、前記通信部が前記他の無線ＬＡＮ通信装置と通信を行う際に利用可能なチャンネルについての第１の情報と、前記他の無線ＬＡＮ通信装置が前記第１の情報に規定されたチャンネルを用いて通信を行う際における電波環境についての第２の情報と、に基づいて、前記他の無線ＬＡＮ通信装置との通信に用いるチャンネルを選択する、チャンネル選択方法。
「付記６」
前記制御部が、前記第１の情報を前記他の無線ＬＡＮ通信装置に通知した後において、前記他の無線ＬＡＮ通信装置から取得した前記第２の情報に基づいて、前記他の無線ＬＡＮ通信装置との通信に用いるチャンネルを選択する、付記５に記載のチャンネル選択方法。
「付記７」
前記制御部が、前記通信部が前記第１の情報に規定されたチャンネルを用いて通信を行う際における電波環境についての第３の情報をさらに参照して、前記他の無線ＬＡＮ通信装置との通信に用いるチャンネルを選択する、付記５又は６に記載のチャンネル選択方法。
「付記８」
前記制御部が、前記チャンネルの周波数帯域に応じて、前記第２の情報に基づいて前記他の無線ＬＡＮ通信装置との通信に用いるチャンネルを選択するか否かを決定する、付記５乃至７の何れか一項に記載のチャンネル選択方法。
「付記９」
無線ＬＡＮ通信装置の制御部に、通信部が他の無線ＬＡＮ通信装置と通信を行う際に利用可能なチャンネルについての第１の情報と、前記他の無線ＬＡＮ通信装置が前記第１の情報に規定されたチャンネルを用いて通信を行う際における電波環境についての第２の情報と、に基づいて、前記他の無線ＬＡＮ通信装置との通信に用いるチャンネルを選択する処理を実行させるための、チャンネル選択プログラム。
「付記１０」
前記制御部に、前記第１の情報を前記他の無線ＬＡＮ通信装置に通知した後において、前記他の無線ＬＡＮ通信装置から取得した前記第２の情報に基づいて、前記他の無線ＬＡＮ通信装置との通信に用いるチャンネルを選択する処理を実行させるための、付記９に記載のチャンネル選択プログラム。
「付記１１」
前記制御部に、前記通信部が前記第１の情報に規定されたチャンネルを用いて通信を行う際における電波環境についての第３の情報をさらに参照して、前記他の無線ＬＡＮ通信装置との通信に用いるチャンネルを選択する処理を実行させるための、付記９又は１０に記載のチャンネル選択プログラム。
「付記１２」
前記制御部に、前記チャンネルの周波数帯域に応じて、前記第２の情報に基づいて前記他の無線ＬＡＮ通信装置との通信に用いるチャンネルを選択するか否かを決定する処理を実行させるための、付記９乃至１１の何れか一項に記載のチャンネル選択プログラム。
【符号の説明】
【００９８】
１  無線ＬＡＮ通信システム
１００  アクセスポイント（無線ＬＡＮ通信装置）
１０１  無線ＬＡＮアクセスポイント部（通信部）
１０２  通信用アンテナ
１０３  無線ＬＡＮインターフェース
１０４  無線ＬＡＮ親機処理装置
１０５  探索用アンテナ
１０６  無線通信インターフェース
１０７  通信制御装置（制御部）
２００  無線ＬＡＮ子機（子機）
２０１  無線ＬＡＮ子機部
２０２  通信用アンテナ
２０３  無線ＬＡＮインターフェース
２０４  無線ＬＡＮ子機処理装置
２０５  探索用アンテナ
２０６  無線通信インターフェース
２０７  通信制御装置
【図１】
2019068471.tif 000003
【図２】
2019068471.tif 000004
【図３】
2019068471.tif 000005
【図４】
2019068471.tif 000006
【図５】
2019068471.tif 000007
【図６】
2019068471.tif 000008
【図７】
2019068471.tif 000009
【図８】
2019068471.tif 000010
【図９】
2019068471.tif 000011
【図１０】
2019068471.tif 000012
【図１１】
2019068471.tif 000013
【図１２】
2019068471.tif 000014
【図１３】
2019068471.tif 000015